(57)【要約】【課題】課金機能を有する画像読取装置において、読み取った原稿のＦＡＸ送信や当該ＦＡＸ送信のための装置の利用に対する課金といった問題に対し、極めて柔軟な対応を行うことが可能な画像読取装置を提供する。【解決手段】ＵＳＢコネクタ１８０に携帯電話機が接続されたことが検出された場合に、送信制御部４６０は、画像読取部１２０で生成された原稿画像データをＦＡＸ送信用データとしてＦＡＸアプリとともに携帯電話機に送信し、一方では課金処理部４５０が、画像読取部１２０の処理や、送信されたＦＡＸアプリの内容等に基づいて課金を行う。【選択図】　　　　　図３
2004056525.tif 000002
【特許請求の範囲】
【請求項１】
原稿画像を読み取り、原稿画像データを生成する原稿読取手段と、
携帯電話機を接続するための接続手段と、
前記接続手段により接続された携帯電話機を介してＦＡＸ送信を行うためのＦＡＸモードの設定を行うモード設定手段と、
前記モード設定手段により前記ＦＡＸモードが設定されている場合に、前記原稿読取手段が行った処理の内容に基づいて、利用料金を算出する料金算出手段とを含む
ことを特徴とする画像読取装置。
【請求項２】
前記画像読取装置はさらに、
前記接続手段により接続された携帯電話機がＦＡＸ送信に必要なソフトウェアを搭載しているか否かを判別する判別手段と、
前記判別手段により搭載していないと判別された場合に、必要なソフトウェアを携帯電話機に送信するソフトウェア転送手段とを有する
ことを特徴とする請求項１に記載の画像読取装置。
【請求項３】
前記画像読取装置はさらに、
ＦＡＸ送信の相手先に関する情報に基づいて、前記ソフトウェア転送手段が送信すべきソフトウェアの内容を判別するソフトウェア判別手段を備える
ことを特徴とする請求項２に記載の画像読取装置。
【請求項４】
前記料金算出手段は、
前記ソフトウェア転送手段により送信されたソフトウェアの内容に基づいて算出された料金を加算して前記利用料金を算出する
ことを特徴とする請求項２又は３に記載の画像読取装置。
【請求項５】
前記ＦＡＸモードは、
携帯電話機が接続された状態でＦＡＸ送信する即時送信モードと、携帯電話機の接続が外された後、携帯電話機単独でＦＡＸ送信するための後送信モードとを含む
ことを特徴とする請求項１から４のいずれかに記載の画像読取装置。
【発明の詳細な説明】
【０００１】
【発明の属する技術分野】
本発明は、利用料金を算出し、課金する機能を有する画像読取装置に関する。
【０００２】
【従来の技術】
従来、例えば街中を散歩しているようなときに、書類をＦＡＸ送信しなければならないことを思い出したとすると、駅やコンビニエンス・ストア（以下、「コンビニ」という。）などに赴き、それらの場所に設置されている有料ＦＡＸ送信装置を利用するのが一般的であった。この有料ＦＡＸ送信装置を用いてＦＡＸ送信を行うには、送信すべき書類を原稿としてセットし、硬貨を投入等した後、ＦＡＸ送信の相手先のＦＡＸ番号を入力してＦＡＸ送信を行う。
【０００３】
【発明が解決しようとする課題】
しかしながら、上記の有料ＦＡＸ送信装置では、相手先の装置の出力系にトラブル（用紙切れ等）が起きている場合などにはＦＡＸ送信することができず、別途電話などで送信相手先と連絡をとった後、再度コンビニ等に赴かねばならず、時間の無駄になる。一方、従来の有料ＦＡＸ送信装置では、ＦＡＸ送信ができなければ課金はなされないのが一般的であるが、有料ＦＡＸ送信装置を設置する側の立場としては、利用者が相手先と連絡等した結果、別のコンビニに赴いてＦＡＸ送信を行うことになると課金機会の喪失となる。また、送信相手が出張の多い立場にあり、ある程度急ぎで送信したいにもかかわらず、すぐに送信先ＦＡＸ番号がわからない場合などもある。
【０００４】
本発明は、上記のような問題点に鑑みてなされたものであって、利用料金を課金する機能を有する画像読取装置において、読み取った原稿のＦＡＸ送信や当該ＦＡＸ送信のための装置の利用に対する課金といった問題に対し、極めて柔軟な対応を行うことが可能な画像読取装置を提供することを目的としている。
【０００５】
【課題を解決するための手段】
上記目的を達成するために、本発明に係る画像読取装置は、原稿画像を読み取り、原稿画像データを生成する原稿読取手段と、携帯電話機を接続するための接続手段と、前記接続手段により接続された携帯電話機を介してＦＡＸ送信を行うためのＦＡＸモードの設定を行うモード設定手段と、前記モード設定手段により前記ＦＡＸモードが設定されている場合に、前記原稿読取手段が行った処理の内容に基づいて、利用料金を算出する料金算出手段とを含むことを特徴としている。
【０００６】
この構成では、画像読取装置で読み取られた原稿の画像データをＦＡＸ送信するような場合に、原稿読取手段が行った処理の内容に基づいて利用料金を算出するので、画像読取装置の利用の形態等に応じて柔軟に料金を算出し、利用者に課金することが可能になる。
なお、前記画像読取装置はさらに、前記接続手段により接続された携帯電話機がＦＡＸ送信に必要なソフトウェアを搭載しているか否かを判別する判別手段と、前記判別手段により搭載していないと判別された場合に、必要なソフトウェアを携帯電話機に送信するソフトウェア転送手段とを有する構成とすることが好ましい。特開平１０−３０４４５１号公報等により、係るソフトウェアを搭載した携帯電話機が提案されているが、係るソフトウェアを搭載していない携帯電話機でもＦＡＸ送信可能であることが好ましいからである。
【０００７】
ここで、前記画像読取装置はさらに、ＦＡＸ送信の相手先に関する情報に基づいて、前記ソフトウェア転送手段が送信すべきソフトウェアの内容を判別するソフトウェア判別手段を備えることが好ましい。例えば送信相手先ＦＡＸの機能（例えばＧ３、Ｇ４の別など）等によって必要なソフトウェアが異なる場合もあるからである。この相手先に関する情報は、接続された携帯電話機を利用して取得することもできるし、画像読取装置から直接送信先と通信を行って取得することもできる。具体的には、例えばＦＡＸ伝送制御手順のフェーズＢ（ネゴシエーション）で取得することが考えられる。
【０００８】
また、前記料金算出手段は、前記ソフトウェア転送手段により送信されたソフトウェアの内容に基づいて算出された料金を加算して前記利用料金を算出することもできる。より具体的には、例えばソフトウェアの機能や処理内容等に基づいて算出されたソフトウェアの利用料金を画像読取装置の利用料金に加算して利用料金を算出することなどが考えられる。
【０００９】
なお、前記ＦＡＸモードは、携帯電話機が接続された状態でＦＡＸ送信する即時送信モードと、携帯電話機の接続が外された後、携帯電話機単独でＦＡＸ送信するための後送信モードとを含むことが好ましい。もっとも、必ずしもモード選択を行う必要はなく、常に後送信モードで処理されるようにすることもできる。この後送信モードは、携帯電話機にＦＡＸ送信データや、必要に応じて必要なソフトウェアなどを転送しておき、画像読取装置と携帯電話機との接続が外された後でも、携帯電話機からＦＡＸ送信することができるモードである。この場合、携帯電話機側で改めて送信相手先を指定することも可能であり、ある程度急ぎで送信したいにもかかわらず、すぐに送信先ＦＡＸ番号がわからない場合等に極めて有用なものである。
【００１０】
【発明の実施の形態】
以下、本発明に係る画像読取装置の実施の形態について、図面を参照しながら説明する。
（１）画像読取装置及び課金装置の構成
図１は、本発明に係る画像読取装置を含む複合型の画像形成装置（以下、「ＭＦＰ」という。）１００に課金装置２００を接続した状態を示す図である。
【００１１】
ＭＦＰ１００は、画像読取部及び画像形成部を含み、画像読取部にて原稿を読み取って得た原稿画像データを、所定の接続ケーブル等を用いてＵＳＢコネクタ１８０に接続された携帯電話機にＦＡＸ送信データとして送信することが可能な構成となっている。また、コネクタ１７０には課金装置２００が接続されており、利用者によるＭＦＰ１００の利用形態に応じて料金を課金することができる。
【００１２】
課金装置２００は、硬貨投入口２０１、返却ボタン２０２、返却口２０３、及び投入残高表示部２０４を有している。利用者が硬貨投入口２０１から硬貨を投入すると、投入された金額が投入残高表示部２０４に表示される。利用者がＭＦＰ１００を利用すると、利用形態に応じて課金され、投入残高表示部２０４に表示された投入残高の金額が減少する。もっとも利用者は任意のタイミングで返却ボタン２０２を押下することにより、返却口２０３から、投入残高表示部２０４に表示された金額分の返却を受けることができる。
【００１３】
図２は、ＭＦＰ１００の構成を示す概略断面図である。同図の例ではＭＦＰ１００は、原稿自動搬送装置（ＡＤＦ）１１０、画像読取部１２０及び画像形成部１３０を含んでいる。ＡＤＦ１１０では、原稿載置トレイ１１１に載置された原稿を順次画像読取部１２０上部の原稿ガラス１２１上に搬送し、画像読取部１２０による原稿の読取処理に供する。もっとも詳細な動作等については公知のものであるから詳細な説明は省略する。
【００１４】
画像読取部１２０は、原稿ガラス１２１上に搬送された原稿を、スキャナ１２２を移動させて読み取る公知のものであって、ＣＣＤセンサ１２３により原稿からの反射光を電気信号に変換して制御部４００に送る。制御部４００にて各種画像処理等が施され、原稿画像データが生成される。主として本実施の形態の画像読取部１２０及び制御部４００により本発明に係る画像読取装置が構成され、コネクタ１７０を介して課金装置と接続され、ＵＳＢコネクタ１８０を介して携帯電話機と接続されるのは既述の通りである。
【００１５】
画像読取部１２０で読み取られた原稿について、複写を行うのであれば、原稿画像データは制御部４００から印字制御部１３１へと送られ、印字制御部１３１から感光体ドラム１３２表面にレーザビームが照射されることで画像形成部１３０による画像形成に供される。画像形成部１３０の動作は公知であるから、詳細な説明は省略する。
【００１６】
（２）制御部４００の構成
図３は、本実施の形態の制御部４００の構成を示すブロック図である。制御部４００はＣＰＵ等を中心として構成され、画像読取部１２０から原稿画像データを取得し、印字制御部１３１や携帯電話機に送る。利用者は操作パネル１９０からＦＡＸモード若しくはコピーモードを選択することができる。ＦＡＸモードが選択された場合に、原稿画像データをＦＡＸ送信データとして、ＵＳＢコネクタ１８０に接続された携帯電話機に送信する。また、画像読取部１２０の利用等に対して利用料金を算出し、コネクタ１７０を介して課金装置２００へと通知する。
【００１７】
本実施の形態の制御部４００は、機能的に、読取制御部１２１、画像処理部４１０、符号化部４２０、ＦＡＸ送信データ記憶部４３０、ＦＡＸアプリ選択部４４０、課金処理部４５０、送信制御部４６０を含んでいる。なお、同図は必ずしも実際のハードウェア構成とは対応しておらず、例えば読取制御部１２１を構成し、画像読取部１２０を制御するＣＰＵや、操作パネル１９０を制御するＣＰＵ、ＭＦＰ全体を制御するＣＰＵなどをそれぞれ個別に設け、複数のＣＰＵ間で通信を行いながら一連の動作を実現することも一般的に行われていることであるが、同図ではそれらの詳細は示していない。また、特に図示はせずとも、機能的に通常備えているべきハードウェア（例えばＵＳＢコントローラ等）については、それらが備えられているものとして説明を続ける。
【００１８】
読取制御部１２１は画像読取部１２０の制御を行う。即ち、ＡＤＦ１１０からの通知に従い、原稿の搬送と同期してスキャナ１２２を動作させること等により、画像読取部１２０による原稿画像の読み取りを実行させる。画像処理部４１０は、ＣＣＤセンサ１２３からの電気信号に対して公知の各種画像処理を施し、原稿画像データを生成する。
【００１９】
符号化部４２０は送信制御部４６０からの指示を受けて、例えばＦＡＸ送信相手先の装置の機能等に関する情報を参照し、原稿画像データを適切な形式に符号化する。ＦＡＸ送信のために符号化されたデータはＦＡＸ送信データ記憶部４３０に一時的に記憶される。ＦＡＸアプリ選択部４４０は、ＵＳＢコネクタ１８０に接続された携帯電話機がＦＡＸ送信のために必要なソフトウェア（以下、「ＦＡＸアプリ」という。）を搭載していない場合に、携帯電話機に送信すべきソフトウェアを選択する。ＦＡＸアプリの詳細については後述する。
【００２０】
課金処理部４５０は、読取制御部１２１の処理内容や、ＦＡＸアプリ選択部４４０にて選択されたＦＡＸアプリの機能等に基づいて利用者に対して課金すべき利用料金を算出し、コネクタ１７０を介して課金装置２００へと送る。送信制御部４６０は、ＵＳＢコネクタ１８０を介する携帯電話機との間の通信制御及びその他の処理を行う。
【００２１】
（３）制御部４００の処理内容
次に制御部４００の具体的な処理内容について詳細に説明する。
図４は、制御部４００のメインルーチンの内容を示すフローチャートである。ＭＦＰ１００の電源が投入されると、ＲＡＭの内容のクリア、各種レジスタの設定など、制御部４００を構成するＣＰＵ等の初期設定処理が行われる（Ｓ１０１）。そして、内部タイマをスタートし（Ｓ１０２）、まず、利用者からＦＡＸモードの選択がなされているか否かを判断する（Ｓ１０３）。ＦＡＸモードが選択されていない場合（コピーモード等が選択されている場合）には（Ｓ１０３：Ｎｏ）、その他の処理（Ｓ１０７）に移行する。なお、本実施の形態では、ＦＡＸ送信に関係のないコピー制御等の処理は「その他の処理」に含めている。
【００２２】
ＦＡＸモードが選択されている場合には（Ｓ１０３：Ｙｅｓ）、送信モード選択処理を行う（Ｓ１０４）。送信モード選択処理とは、携帯電話機を介するＦＡＸ送信の送信モードを選択する処理である。本実施の形態における「送信モード」には、ＵＳＢコネクタ１８０に携帯電話機が接続されている状態で速やかに原稿画像データのＦＡＸ送信を行う「即時送信モード」と、ＵＳＢコネクタ１８０に接続された携帯電話機に原稿画像データを送信し、ＵＳＢコネクタ１８０から携帯電話機が取り外された後、携帯電話機単独でＦＡＸ送信を行うことが可能である「後送信モード」との二種類がある。利用者は、ＦＡＸ送信のための原稿の読み取りを行う前にいずれかの動作モードを選択する。
【００２３】
図５は、送信モード選択処理の詳細な内容を示すフローチャートである。送信モード選択処理では、まず、ＵＳＢコネクタ１８０に携帯電話機が接続されているか否かを判定する（Ｓ２０１）。携帯電話機が接続されていないと判定された場合には（Ｓ２０１：Ｎｏ）、操作パネル１９０に携帯電話機接続要求画面を表示させる（Ｓ２０２）。
【００２４】
図６に操作パネル１９０の外観の一例を示す。同図の操作パネル１９０には、テンキー１９１、ストップキー１９２、リセットキー１９３、スタートキー１９４、精算キー１９５、ＦＡＸモード選択キー１９６、コピーモード選択キー１９７、液晶タッチパネル１９８が設けられている。
ストップキー１９２はＭＦＰ１００の動作を中止するキーであり、リセットキー１９３は、液晶タッチパネル１９８の表示やコピー枚数等の置数を初期値に戻すキーである。スタートキー１９４は、原稿読取開始等を指示する際に用いることができる。
【００２５】
精算キー１９５は、課金装置２００に所定の信号を送信し、返却ボタン２０２が押下された場合と同様の処理を行わせるキーである。ＦＡＸモード選択キー１９６はＦＡＸモードを選択する場合に押下するキーであり、ＦＡＸモードが選択された場合であって、携帯電話機が接続されていない場合には、例えば同図に示されるような携帯電話機接続要求画面が、液晶タッチパネル１９８に表示される。
【００２６】
コピーモード選択キー１９７はコピーモードを選択する場合に押下するキーであり、コピーモードが選択された場合には、液晶タッチパネル１９８には、コピー枚数の設定や用紙サイズ、画像の濃度などを入力するための画面が表示される。
さて、携帯電話機が接続されていると判定された場合には（Ｓ２０１：Ｙｅｓ）、液晶タッチパネル１９８に送信モード選択キーを表示する（Ｓ２０３）。
【００２７】
図７は、液晶タッチパネル１９８に表示される送信モード選択キーの外観の一例を示す図である。同図に示すように、送信モード選択キーとしては、即時送信モード選択キー１９８１と後送信モード選択キー１９８２とが表示され、利用者は、いずれかの送信モードを選択することができる。後送信モード選択キー１９８２が選択されなかった場合（Ｓ２０４：Ｎｏ）には、初期設定として即時送信モードに設定され（Ｓ２０５）、後送信モード選択キー１９８２が選択された場合（Ｓ２０４：Ｙｅｓ）には後送信モードに設定される（Ｓ２０６）。即ち、本実施の形態では単にＦＡＸモードが選択された場合には、初期設定として即時送信モードが設定されることとなるが、初期設定を後送信モードとするようにしてもよい。
【００２８】
以上のように、送信モード選択処理が終了すると、図４に戻ってＦＡＸ送信処理に移行する（Ｓ１０４）。図８及び図９は、ＦＡＸ送信処理の詳細な内容を示すフローチャートである。ＦＡＸ送信処理においては、まず送信相手先設定処理を行う（Ｓ３０１）。
図１０は、送信相手先設定処理の詳細な内容を示すフローチャートである。送信相手先設定処理では、まず、操作パネル１９０を介して利用者から入力される送信相手先入力を受け付ける（Ｓ４０１）。図１１は、液晶タッチパネル１９８に表示される送信相手先入力画面の一例を示す図である。送信相手先入力画面には、ＦＡＸ番号表示部１９８３とキーボード表示ボタン１９８４とが表示されており、ＦＡＸ番号表示部１９８３には、例えばテンキー１９１を用いて入力されたＦＡＸ番号等が表示される。ＦＡＸ番号が入力された状態でスタートキー１９４が押下されることにより、原稿の読み取り、及び携帯電話機を介したＦＡＸ送信の動作が開始する。
【００２９】
一方、キーボード表示ボタン１９８４が押下された場合には、図示は省略するが、液晶タッチパネル１９８にソフトウェアキーボードが表示され、利用者はそれを用いてＩＦＡＸ送信のためのメールアドレスを入力することができる。入力されたメールアドレスは図１１と同様にＦＡＸ番号表示部１９８３に表示され、メールアドレスが入力された状態でスタートキー１９４が押下されることにより、原稿の読み取り、及び携帯電話機を介したＩＦＡＸ送信の動作が開始する。
【００３０】
本実施の形態では、制御部４００は、操作パネル１９０から入力された送信相手先がアルファベットを含むか否かにより、ＦＡＸ送信が通常ＦＡＸかＩＦＡＸかを判別する。即ち、スタートボタン１９４の押下により受け付けた送信相手先が、アルファベットを含むか否かを判定し（Ｓ４０２）、アルファベットを含む場合は（Ｓ４０２：Ｙｅｓ）、ＩＦＡＸ送信に設定し（Ｓ４０３）、含まない場合には（Ｓ４０２：Ｎｏ）、通常ＦＡＸ送信に設定する（Ｓ４０４）。これらの設定はＦＡＸ送信処理等において随時参照されることになる。
【００３１】
送信相手先設定処理を終了すると、図８のフローチャートに戻って、ＦＡＸ送信処理を継続する。即ち、まず、上記した設定を参照し、ＩＦＡＸ送信であるか否かを判定する（Ｓ３０２）。以下、まず通常ＦＡＸの場合（Ｓ３０２：Ｎｏ）について詳細に説明する。
通常ＦＡＸの場合、まず、送信モードの設定が後送信モードであるか否かを判定する（Ｓ３０３）。後送信モードでない場合（Ｓ３０３：Ｎｏ）には、即時送信モードであるから、画像読取部１２０による画像読取処理を行い（Ｓ３０４）、その後、接続された携帯電話機から送信相手先のＦＡＸ装置に対する回線接続処理を行う（Ｓ３０５）。これはＦＡＸ伝送制御手順のフェーズＡに対応する処理であり、送信制御部４６０から携帯電話機に対して指示することで行う。なお、本実施の形態では、ＭＦＰ１００からのＦＡＸ送信は行わず、ＦＡＸ送信は常に携帯電話機を経由して行う。即ち、ＦＡＸ機能を有しない画像読取装置においても、本発明を適用することは可能である。
【００３２】
回線が接続されると、相手先のＦＡＸ装置との間でネゴシエーションを行う（Ｓ３０６）。これはＦＡＸ伝送制御手順のフェーズＢに対応する処理であり、この処理により制御部４００は、相手先ＦＡＸ装置の解像度、圧縮率、記録紙幅、画品質等に関する情報が取得できる。これらの情報を参照して、符号化部４２０が原稿画像データの適切な符号化処理を行うことで、相手先ＦＡＸ装置に応じた画像データをＦＡＸ送信データとして生成し（Ｓ３０７）、ＦＡＸアプリの選択転送処理に移行する（Ｓ３０８）。
【００３３】
「ＦＡＸアプリ」とは、通常ＦＡＸ（即時送信モード）の場合においては、携帯電話機の側においてＦＡＸ伝送制御手順のフェーズＣからフェーズＥまでの処理を実行させるためのソフトウェアである。最近ではこのようなソフトウェアを搭載している携帯電話機も提案されているが、依然として搭載していない携帯電話機も多種存在しているところであり、本実施の形態では、ＦＡＸアプリを搭載していない携帯電話機が接続された場合においてはＦＡＸアプリを転送することで、どのような携帯電話機が接続された場合でもＦＡＸ送信を行うことができるようにしたものである。
【００３４】
なお、通常ＦＡＸ（後送信モード）の場合は、携帯電話機のみで相手先への回線接続、ネゴシエーションを行う必要が生じることから、ＦＡＸ伝送制御手順のフェーズＡ及びＢを実行させる機能も含むＦＡＸアプリを用いる必要があること、相手先ＦＡＸの機能（Ｇ３、Ｇ４、スーパーＧ３など）等によっても用いるべきＦＡＸアプリは変わってくることから、図に示されるようなＦＡＸアプリの選択転送処理を行うようにしたものである。
【００３５】
図１２は、ＦＡＸアプリの選択転送処理の詳細な内容を示すフローチャートである。同図の処理では、最初にＵＳＢコネクタ１８０を介して接続されている携帯電話機との間で通信を行い、当該携帯電話機にＦＡＸアプリが搭載されているか否か等の情報を取得する（Ｓ５０１）。携帯電話機にＦＡＸアプリが搭載されている場合には（Ｓ５０２：Ｙｅｓ）、特にＦＡＸアプリを送信する必要がないため、ＦＡＸ送信データを携帯電話機に送信して（Ｓ５０６）、ＦＡＸアプリの選択転送処理を終了する。一方、携帯電話機がＦＡＸアプリを搭載していない場合には（Ｓ５０２：Ｎｏ）、送信制御部４６０は、携帯電話機にＦＡＸアプリを送信する必要があるため、本実施の形態では、予め不図示の記憶手段に記憶された各種ＦＡＸアプリの中から、送信相手先ＦＡＸ装置の機能（Ｇ３、Ｇ４、スーパーＧ３など）等に適したＦＡＸアプリを選択し（Ｓ５０３）、選択されたＦＡＸアプリを携帯電話機に送信する（Ｓ５０４）。なお、本実施の形態では、ＦＡＸアプリの送信に対しても課金を行うようにしているため、送信されたＦＡＸアプリの種類、機能等を課金処理部４５０に通知する（Ｓ５０５）。この通知を受けて課金処理部４５０が課金を行う処理の詳細は後述する。最後にＦＡＸ送信データを携帯電話機に送信し（Ｓ５０６）、ＦＡＸアプリの選択転送処理を終了する。
【００３６】
ＦＡＸアプリの選択転送処理を終了すると、図８のフローチャートに戻り、携帯電話機に対してＦＡＸデータの送信指示を行う（Ｓ３０９）。この処理は、送信制御部４６０からＵＳＢコネクタ１８０を介して携帯電話機に対してＦＡＸデータの送信指示を送る処理である。この指示を受けた携帯電話機は、ＦＡＸアプリを起動して、通常ＦＡＸ送信のフェーズＣ以降の処理を行うことになる。
【００３７】
ここで、通常ＦＡＸ（即時送信モード）の場合のＦＡＸアプリの具体的な処理内容の一例について説明する。図１３は、当該ＦＡＸアプリの処理内容を示すフローチャートである。ＦＡＸアプリが起動されると、即時送信モードの場合には、既にステップＳ３０５において回線が送信相手先と接続した状態にあり、かつネゴシエーションも終了しているので、ＦＡＸ送信データの相手先への送信を開始する（Ｓ９０１）。これはＦＡＸ伝送制御手順のフェーズＣに該当する。
【００３８】
そして、ＦＡＸ伝送制御手順のフェーズＤに該当する処理によりＦＡＸデータの送信を継続し（Ｓ９０２）、送信を終了すると（Ｓ９０２：Ｙｅｓ）、回線切断処理を行う（Ｓ９０３）。これはＦＡＸ伝送制御手順のフェーズＥの処理である。
図８に戻って、ＭＦＰ１００の側では、課金処理部４５０に画像読取の通知を行う（Ｓ３１０）。これは読み取られた原稿の枚数等の情報を読取制御部１２１から課金処理部４５０に通知する処理であり、課金処理部４５０では、通知された内容に従って、料金を算出し、課金装置２００に通知する。
【００３９】
次に、図８のフローチャートにおいて、通常ＦＡＸの後送信モードが選択された場合の処理内容について説明する。即ち、同図のステップＳ３０３にて後送信モードと判定された場合（Ｓ３０３：Ｙｅｓ）には、まず送信相手先ＦＡＸ装置に関する情報を取得するため、回線接続処理（Ｓ３１１）、ネゴシエーション（Ｓ３１２）を行う。これらの処理は即時送信モードの場合と同様である。
【００４０】
後送信モードの場合には、このタイミングではフェーズＣ及びフェーズＤの処理を行う必要がないため、ネゴシエーションが終了すると回線切断処理を行う（Ｓ３１３）。これは即時送信モードではＦＡＸアプリが実行していた処理であるが、送信制御部４６０から直接行うことも可能であり、早期に回線を切断することが通話料金の節約にもつながることから、ここで回線を切断することにしたものである。その後、画像読取処理（Ｓ３１４）、相手先ＦＡＸに応じたＦＡＸ送信データの生成（Ｓ３１５）及びＦＡＸアプリの選択転送処理（Ｓ３１６）を行う。これらの処理は、いずれも即時送信モードの場合と同様に考えることができるが、後送信モードの場合には、ＵＳＢコネクタ１８０から取り外された後、携帯電話機のみでＦＡＸ送信を行う場合が多いことから、ＦＡＸアプリの選択（Ｓ５０３）の処理において、ＦＡＸ伝送制御手順のフェーズＡからフェーズＥの全ての処理を実行できるＦＡＸアプリが選択される。
【００４１】
後送信モードの場合には、ステップＳ５０６において、ＦＡＸ送信データを携帯電話機に送信し、図８に戻って画像読取の通知を行って（Ｓ３１０）、ＦＡＸ送信処理を終了する。なお、後送信モードの場合には、ＭＦＰ１００から送信されるデータの中に相手先のＦＡＸ番号を含めておき、携帯電話機の側では、例えば所定の番号のボタンを押下した場合にＦＡＸアプリが起動するようにして自動的に設定したＦＡＸ番号に対してＦＡＸ送信がなされるようにしてもよいし、携帯電話機側で新たにＦＡＸ番号を入力するようにしてもよい。
【００４２】
次に、図８のフローチャートにおいて、ＩＦＡＸが設定されていた場合（Ｓ３０２：Ｙｅｓ）の処理内容について説明する。ＩＦＡＸの場合には図９のフローチャートに移行し、まず、画像読取部１２０による画像読取処理を実行する（Ｓ３１７）。そしてＩＦＡＸ（シンプルモード）用のＦＡＸ送信データを生成し（Ｓ３１８）、ＦＡＸアプリの選択転送処理を行う（Ｓ３１９）。
【００４３】
なお、本実施の形態の構成はシンプルモード（ＲＦＣ２３０５）のＩＦＡＸのみに対応しており、フルモード（ＲＦＣ２５３２）のＩＦＡＸには対応していない。ＩＦＡＸはメール機能を用いてＦＡＸ送信を行うものであり、通常ＦＡＸの場合にはネゴシエーションで取得できるような、送信相手先の機能等に関する情報を取得することができないためである。シンプルモードについては解像度、用紙等が規格で決められており、送信相手先の機能等に左右されないことから本実施の形態ではシンプルモードのみ対応可能としたものである。もっとも、ＩＦＡＸ送信に先立ち、予め準備されたメールのやり取りなどで機能等に関する情報の取得を行うようにすれば、フルモードに対応することも可能である。
【００４４】
ＩＦＡＸのＦＡＸアプリとしては、ＭＦＰ１００側で設定したメールアドレスにメールを転送させるようなアプリケーションが考えられる。携帯電話機の機能によっては、ＩＦＡＸの送信はできない場合も有りうるので、その場合には携帯電話機からＭＦＰ１００に対してその旨の信号を送信し、操作パネル１９０に表示するようにしてもよい。
【００４５】
その後、ＦＡＸ送信データ（ＩＦＡＸの場合、一般にはＴＩＦＦ形式の画像データがメールに添付された形式となる。）を携帯電話機に送信して（Ｓ５０６）、ＦＡＸアプリの選択転送処理を終了する。その後、図９に戻って、後送信モードが選択されている場合には（Ｓ３２０：Ｙｅｓ）、そのまま図８のフローチャートに戻り、即時送信モードの場合には、携帯電話機に対してＩＦＡＸの送信指示を行って（Ｓ３２１）。図８に戻る。
【００４６】
最後に画像読取の通知を行って（Ｓ３１０）、ＦＡＸ送信処理を終了する。なお、本実施の形態では、ＦＡＸ送信処理の最後に課金処理部４５０に対する画像読取の通知を行うようにしたが、この処理は、画像読取処理が終了した際に行っても良い。
ＦＡＸ送信処理を終了すると、図４のフローチャートに戻って課金処理（Ｓ１０６）を行う。この課金処理は、ＦＡＸ送信処理において課金処理部４５０に通知された内容から利用料金を算出し、課金装置２００に通知する処理である。
【００４７】
図１４は課金処理の詳細な内容を示すフローチャートである。
本実施の形態の課金処理においては、課金処理部４５０が、読取制御部１２１からの画像読取の通知を受けたか否かを判定し（Ｓ６０１）、受けた場合に（Ｓ６０１：Ｙｅｓ）、まず読取料金を算出する（Ｓ６０２）。読取料金としては例えば画像読取部１２０で原稿を１枚読むごとに１０円として算出することが可能であるし、枚数の増加に対する割引もできる。なお、読取枚数に限定されず、送信されたデータ量に基づいて課金するなど、種々の方法が可能である。
【００４８】
ＦＡＸモードが選択されていない場合には（Ｓ６０３：Ｎｏ）、コピーモードが選択されているわけであるから、コピー料金の算出を行う（Ｓ６０４）。この場合は画像形成部１３０による画像形成処理の終了を待って、最終的に１枚コピーするごとに１０円と算出することが考えられるが、これに限定されないのは読み取り料金の算出と同様である。
【００４９】
ＦＡＸモードが選択されている場合には（Ｓ６０３：Ｙｅｓ）、前記したＦＡＸアプリの選択転送処理（Ｓ５０５）におけるＦＡＸアプリ送信の通知があったか否かが判定され（Ｓ６０５）、ＦＡＸアプリ送信の通知があった場合には（Ｓ６０５：Ｙｅｓ）、ＦＡＸアプリの利用料金が決定される（Ｓ６０６）。本実施の形態では、選択されたＦＡＸアプリの機能等に基づいて予め決定され、不図示の記憶手段に記憶されている料金を取得する。
【００５０】
その後、画像読取料金とＦＡＸアプリの利用料金とからＦＡＸ料金が算出される（Ｓ６０７）。もっともＦＡＸアプリが送信されていない場合には、ＦＡＸアプリの利用料金を考慮する必要はない（Ｓ６０５：Ｎｏ）。
その後、算出された料金を課金装置２００に通知して（Ｓ６０８）、課金処理が終了する。課金装置２００の側では、通知された料金を残高金額から減算して、投入残高表示部２０４に表示する。
【００５１】
その後、図４のフローチャートへと戻って、コピー処理等のその他の処理を行って（Ｓ１０７）、内部タイマの終了を待ち（Ｓ１０８：Ｙｅｓ）、ステップＳ１０２へと戻る。
なお、上記実施の形態では携帯電話機側についての詳細な説明は省略したが、少なくともＦＡＸアプリを受信し、それを起動することが可能な携帯電話機であれば、本発明の画像読取装置に接続して用いることは可能である。
【００５２】
なお、本発明の実施に用いるプログラムは、例えば磁気テープ、フレキシブルディスク等の磁気ディスク、ＤＶＤ、ＣＤ−ＲＯＭ、ＣＤ−Ｒ、ＭＯ、ＰＤなどの光記録媒体、Ｓｍａｒｔ　Ｍｅｄｉａ（登録商標）、ＣＯＭＰＡＣＴＦＬＡＳＨ（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態で、インターネットを含む有線、無線の各種ネットワーク、放送、電気通信回線、衛星通信等を介して伝送、供給される場合もある。
【００５３】
また、本発明の実施に用いるプログラムは、上記に説明した処理を画像読取装置（若しくはＭＦＰ）にて実行させるための全てのモジュールを含んでいる必要はなく、例えば通信プログラムや、オペレーティングシステム（ＯＳ）に含まれるプログラムなど、別途情報処理装置にインストールすることができる各種汎用的なプログラムを利用して、各処理を実行させるようにしてもよい。従って、上記した記録媒体に必ずしも全てのモジュールを記録している必要はないし、また、必ずしも全てのモジュールを伝送する必要もない。さらに所定の処理を専用ハードウェアを利用して実行させるようにすることができる場合もある。
【００５４】
＜変形例＞
以上、本発明を実施の形態に基づいて説明してきたが、本発明の内容が、上記実施の形態に示された具体例に限定されないことは勿論であり、例えば、以下のような変形例を考えることができる。
（１）即ち、上記実施の形態では、携帯電話機にＦＡＸアプリを送信するに際し、予め用意された複数種類のＦＡＸアプリから送信すべきＦＡＸアプリを選択するようにしたが、これに限らず、送信する際にＦＡＸアプリを生成するようにしてもよい。
【００５５】
（２）また、上記実施の形態では、常に携帯電話機を介してＦＡＸ送信を行うようにしたが、ＦＡＸ機能を備えるＭＦＰを用いる場合には、即時送信の場合には携帯電話機を接続しなくてもＦＡＸ送信を行うことが可能である。例えば、即時送信モードが選択された場合にはＭＦＰから直接ＦＡＸ送信を行い、後送信モードが選択された場合のみ携帯電話機にＦＡＸ送信データ等を送信するようにしてもよい。
【００５６】
（３）上記の説明では、携帯電話機に送信されたＦＡＸアプリについて、ＦＡＸ送信終了後の取り扱いについては特に言及していないが、これは携帯電話機に保持して再利用可能とすることもできるし、ＦＡＸ送信終了後に自動的に削除するようにすることも可能である。なお、再利用可能とする場合、再度のＦＡＸ送信に際して、ＭＦＰ１００側で携帯電話機が有しているＦＡＸアプリの内容を確認し、携帯電話機が有しているＦＡＸアプリが、再度のＦＡＸ送信に際して送信されるべきＦＡＸアプリと一致する場合に再利用可能と判定し、ＦＡＸアプリの送信を省略するようにしてもよい。
【００５７】
【発明の効果】
以上のように、本発明に係る画像読取装置によれば、携帯電話機が接続された場合に、原稿画像データをＦＡＸ送信用データとして携帯電話機に送信するとともに、原稿読取及び／又は前記送信の内容等に基づいて課金するようにしているので、ＦＡＸ送信やそれに対する課金といった問題に対し、極めて柔軟な対応を行うことが可能な画像読取装置を提供することができるという効果がある。
【図面の簡単な説明】
【図１】本発明に係る画像読取装置を含むＭＦＰ１００に課金装置２００を接続した状態を示す図である。
【図２】ＭＦＰ１００の構成を示す概略断面図である。
【図３】本発明の実施の形態の制御部４００の構成を示すブロック図である。
【図４】制御部４００のメインルーチンの内容を示すフローチャートである。
【図５】送信モード選択処理の詳細な内容を示すフローチャートである。
【図６】操作パネル１９０の外観の一例を示す図である。
【図７】液晶タッチパネル１９８に表示される送信モード選択キーの外観の一例を示す図である。
【図８】ＦＡＸ送信処理の詳細な内容を示すフローチャートである。
【図９】ＦＡＸ送信処理の詳細な内容を示すフローチャートである。
【図１０】送信相手先設定処理の詳細な内容を示すフローチャートである。
【図１１】送信相手先入力画面の一例を示す図である。
【図１２】ＦＡＸアプリの選択転送処理の詳細な内容を示すフローチャートである。
【図１３】ＦＡＸアプリの処理内容の一例を示すフローチャートである。
【図１４】課金処理の詳細な内容を示すフローチャートである。
【符号の説明】
１００　　　　　　　　ＭＦＰ
１１０　　　　　　　　原稿自動搬送装置（ＡＤＦ）
１２０　　　　　　　　画像読取部
１２１　　　　　　　　読取制御部
１３０　　　　　　　　画像形成部
１７０　　　　　　　　コネクタ
１８０　　　　　　　　ＵＳＢコネクタ
１９０　　　　　　　　操作パネル
１９８　　　　　　　　液晶タッチパネル
２００　　　　　　　　課金装置
４００　　　　　　　　制御部
４１０　　　　　　　　画像処理部
４２０　　　　　　　　符号化部
４３０　　　　　　　　ＦＡＸ送信データ記憶部
４４０　　　　　　　　ＦＡＸアプリ選択部
４５０　　　　　　　　課金処理部
４６０　　　　　　　　送信制御部
【図１】
2004056525.tif 000003
【図２】
2004056525.tif 000004
【図３】
2004056525.tif 000005
【図４】
2004056525.tif 000006
【図５】
2004056525.tif 000007
【図６】
2004056525.tif 000008
【図７】
2004056525.tif 000009
【図８】
2004056525.tif 000010
【図９】
2004056525.tif 000011
【図１０】
2004056525.tif 000012
【図１１】
2004056525.tif 000013
【図１２】
2004056525.tif 000014
【図１３】
2004056525.tif 000015
【図１４】
2004056525.tif 000016